【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
被検体に音響波を送信し、被検体内で反射した反射波を受信して時系列の受信信号に夫々変換する複数の変換素子と、
複数の前記受信信号を用いて適応型ビームフォーミング処理を行い被検体内の情報を取得する処理部と、
を有し
前記複数の変換素子は、被検体内の所定の領域に対して複数回の音響波送信を行うことにより、前記複数回の音響波送信の夫々に基づく複数の受信信号を出力し、
前記処理部は、前記適応型ビームフォーミング処理において、前記複数の受信信号を用いて求められる複数の相関行列同士を積算処理することを特徴とする被検体情報取得装置。
【請求項２】
前記処理部は、前記適応型ビームフォーミング処理において、前記複数の受信信号を用い、前記被検体内の所定位置に対応する複数のサンプル点の夫々に基づく相関行列同士を積算処理することを特徴とする請求項１に記載の被検体情報取得装置。
【請求項３】
前記処理部は、前記適応型ビームフォーミング処理においてさらに、前記被検体内の互いに異なる位置に対応する複数のサンプル点の夫々に基づく相関行列同士を積算処理することを特徴とする請求項２に記載の被検体情報取得装置。
【請求項４】
前記処理部が、前記所定の領域を含む１フレーム分の音響特性分布を取得するために、前記複数の変換素子が前記１フレーム分に対応する領域に対して音響波送信を行う場合において、
前記複数の変換素子により前記１フレーム分に対応する領域の音響波送信を終える前に、前記複数の変換素子は、前記所定の領域に対して複数回の音響波送信を行うことを特徴とする請求項１乃至３のいずれか１項に記載の被検体情報取得装置。
【請求項５】
前記処理部は、
前記複数の受信信号を用いて、受信信号間における時間変動成分を示す信号を複数抽出する抽出部と、
複数の前記時間変動成分を示す信号を用いて適応型ビームフォーミング処理を行う適応型信号処理部と、
前記適応型信号処理部からの出力信号を用いて対象物の移動情報を取得する移動情報取得部と、
を備え、
前記適応型信号処理部は、前記複数の時間変動成分を示す信号の夫々に基づく相関行列同士を積算処理すること特徴とする請求項１乃至４のいずれか１項に記載の被検体情報取得装置。
【請求項６】
前記抽出部は、前記変換素子からの出力チャネル毎に、前記時間変動成分を示す信号を複数抽出し、
適応型信号処理部は、前記出力チャネル毎の前記複数の時間変動成分を示す信号を前記出力チャネル分用いて適応型ビームフォーミング処理を行うことを特徴とする請求項５に記載の被検体情報取得装置。
【請求項７】
前記抽出部は、ＭＴＩフィルタにより前記時間変動成分を示す信号を抽出することを特徴とする請求項５又は６に記載の被検体情報取得装置。
【請求項８】
前記処理部は、前記対象物の移動情報を所定の時間間隔で取得することを特徴とする請求項５乃至７のいずれか１項に記載の被検体情報取得装置。
【請求項９】
前記処理部は、
前記複数の受信信号を用いて、適応型ビームフォーミング処理を行う適応型信号処理部を有し、
前記適応型信号処理部は、前記複数の受信信号の夫々に基づく相関行列同士を積算処理することを特徴とする請求項１乃至４のいずれか１項に記載の被検体情報取得装置。
【請求項１０】
適応型信号処理部は、前記変換素子からの出力チャネル毎に夫々出力される複数の受信信号を用いて適応型ビームフォーミング処理を行うことを特徴とする請求項９に記載の被検体情報取得装置。
【請求項１１】
前記処理部は、前記適応型ビームフォーミング処理として、注目方向に関する感度を固定した状態で電力を最小化するように処理することを特徴とする請求項１乃至１０のいずれか１項に記載の被検体情報取得装置。
【請求項１２】
被検体に音響波を送信し、被検体内で反射した反射波を受信して時系列の受信信号に夫々変換する複数の変換素子と、
複数の前記受信信号を用いて適応型ビームフォーミング処理を行う適応型信号処理部を備えており、前記適応型信号処理部からの出力信号を用いて被検体内の情報を取得する処理部と、
を有し
前記複数の変換素子は、被検体内の所定の領域に対して複数回の音響波送信を行うことにより、前記複数回の音響波送信の夫々に基づく受信信号を複数出力し、
前記適応型信号処理部は、前記複数の受信信号に基づく複数の入力信号を用いて適応型ビームフォーミング処理を行うことにより、前記複数の入力信号に対して１つの出力信号を得ることを特徴とする被検体情報取得装置。
【請求項１３】
被検体内で反射した反射波を受信する複数の変換素子から出力される時系列の受信信号を複数用いて、被検体内の情報を取得する被検体情報取得方法であって、
前記複数の変換素子に、被検体内の所定の領域に対して複数回の音響波送信を行なわせるステップと、
前記複数の音響波送信により得られる複数の受信信号を用いて適応型ビームフォーミング処理を行うステップと、
を有し、
前記適応型ビームフォーミング処理において、前記複数の受信信号を用いて求められる複数の相関行列同士を積算処理することを特徴とする被検体情報取得方法。
【請求項１４】
前記適応型ビームフォーミング処理において、前記複数の受信信号を用い、前記被検体内の所定位置に対応する複数のサンプル点の夫々に基づく相関行列同士を積算処理することを特徴とする請求項１３に記載の被検体情報取得方法。
【請求項１５】
前記適応型ビームフォーミング処理において、さらに、前記被検体内の互いに異なる位置に対応する複数のサンプル点の夫々に基づく相関行列同士を積算処理することを特徴とする請求項１４に記載の被検体情報取得方法。
【請求項１６】
前記所定の領域を含む１フレーム分の音響特性分布を取得するために、前記複数の変換素子に前記１フレーム分に対応する領域に対して音響波送信を行なわせるステップをさらに有し、
前記複数の変換素子が前記１フレーム分に対応する領域の音響波送信を終える前に、前記複数の変換素子に、前記所定の領域に対して複数回の音響波送信を行わせることを特徴とする請求項１３乃至１５のいずれか１項に記載の被検体情報取得方法。
【請求項１７】
前記複数の受信信号を用いて、受信信号間における時間変動成分を示す信号を複数抽出するステップと、
前記適応型ビームフォーミング処理を行うステップからの出力信号を用いて対象物の移動情報を取得するステップと、
をさらに有し、
前記適応型ビームフォーミング処理において、複数の前記時間変動成分を示す信号の夫々に基づく相関行列同士を積算処理することを特徴とする請求項１３乃至１６のいずれか１項に記載の被検体情報取得方法。
【請求項１８】
前記時間変動成分を示す信号を抽出するステップでは、前記変換素子からの出力チャネル毎に、前記時間変動成分を示す信号を複数抽出し、
前記適応型ビームフォーミング処理を行うステップでは、前記出力チャネル毎の前記複数の時間変動成分を示す信号を前記出力チャネル分用いて適応型ビームフォーミング処理を行うことを特徴とする請求項１７に記載の被検体情報取得方法。
【請求項１９】
前記対象物の移動情報を所定の時間間隔で取得するステップをさらに有することを特徴とする請求項１７又は１８に記載の被検体情報取得方法。
【請求項２０】
前記適応型ビームフォーミング処理を行うステップでは、前記複数の受信信号の夫々に基づく相関行列同士を積算処理することを特徴とする請求項１３乃至１６いずれか１項に記載の被検体情報取得方法。
【請求項２１】
前記変換素子からの出力チャネル毎に夫々出力される複数の受信信号を用いて適応型ビームフォーミング処理を行うことを特徴とする請求項２０に記載の被検体情報取得方法。
【請求項２２】
前記適応型ビームフォーミング処理として、注目方向に関する感度を固定した状態で電力を最小化するように処理することを特徴とする請求項１３乃至２１のいずれか１項に記載の被検体情報取得方法。
【請求項２３】
被検体内で反射した反射波を受信する複数の変換素子から出力される時系列の受信信号を複数用いて、被検体内の情報を取得する被検体情報取得方法であって、
前記複数の変換素子に、被検体内の所定の領域に対して複数回の音響波送信を行なわせるステップと、
前記複数の音響波送信により得られる複数の受信信号を用いて適応型ビームフォーミング処理を行うステップと、
を有し、
前記適応型ビームフォーミング処理を行うステップでは、前記複数の受信信号に基づく複数の入力信号を用いて適応型ビームフォーミング処理を行うことにより、前記複数の入力信号に対して１つの出力信号を得ることを特徴とする被検体情報取得方法。
【請求項２４】
請求項１３乃至２３のいずれか１項に記載の被検体情報取得方法の各ステップをコンピュータに実行させるためのプログラム。
【手続補正２】
【補正対象書類名】明細書
【補正対象項目名】０００８
【補正方法】変更
【補正の内容】
【０００８】
本発明の被検体情報取得装置は、被検体に音響波を送信し、被検体内で反射した反射波を受信して時系列の受信信号に夫々変換する複数の変換素子と、複数の前記受信信号を用いて適応型ビームフォーミング処理を行い被検体内の情報を取得する処理部と、
を有し
前記複数の変換素子は、被検体内の所定の領域に対して複数回の音響波送信を行うことにより、前記複数回の音響波送信の夫々に基づく複数の受信信号を出力し、
前記処理部は、前記適応型ビームフォーミング処理において、前記複数の受信信号を用いて求められる複数の相関行列同士を積算処理することを特徴とする。
【手続補正３】
【補正対象書類名】明細書
【補正対象項目名】０００９
【補正方法】変更
【補正の内容】
【０００９】
また、本発明の被検体情報取得方法は、被検体内で反射した反射波を受信する複数の変換素子から出力される時系列の受信信号を複数用いて、被検体内の情報を取得する被検体情報取得方法であって、
前記複数の変換素子に、被検体内の所定の領域に対して複数回の音響波送信を行なわせるステップと、
前記複数の音響波送信により得られる複数の受信信号を用いて適応型ビームフォーミング処理を行うステップと、を有し、
前記適応型ビームフォーミング処理において、前記複数の受信信号を用いて求められる複数の相関行列同士を積算処理することを特徴とする。